(57)【要約】【目的】立体感に富みまた本体の構成部材の配置や取り付けが容易な羽子板およびその製造方法を提供する。また構成部材の位置の調整が可能な羽子板およびその製造方法を提供する。【構成】羽子板１は構成部７の少なくとも１部を本体３および／または基板２に固着し、固着部５を起点として基板２に対して起倒可能な構成部７が本体３に固定されている。構成部６の少なくとも１部を本体３および／または基板２に固着する一方、構成部７の裏面および／または本体３に設けられた高さ調整の支持部１３により固着部５を起点とする基板２に対して起倒可能な構成部７を支持し、本体３上に固定される構成部７と本体３との間に空隙１６を形成し、構成部７を立体的に配置した。また羽子板１の製造方法は、構成部７の少なくとも１部を本体３および／または基板２に固着して固着部５を形成する工程と、固着部５を起点として基板２に対して構成部５を起倒して本体３上に配置する工程と、構成部７を本体３に固定する工程とからなる。【選択図】　図７
2004049848.tif 000002
【特許請求の範囲】
【請求項１】
構成部の少なくとも１部を本体および／または基板に固着し、固着部を起点とする基板に対して起倒可能な構成部が本体に固定されている羽子板。
【請求項２】
構成部の少なくとも１部を本体および／または基板に固着する一方、構成部の裏面および／または本体に設けられた高さ調整の支持部により固着部を起点とする基板に対して起倒可能な構成部を支持し、本体上に固定される構成部と本体との間に空隙を形成し、構成部を立体的に配置した羽子板。
【請求項３】
構成部が袖部であり、袖部の少なくとも１部を本体および／または基板に固着する一方、袖部の裏面および／または本体に設けられた高さ調整の支持部により、固着部を起点とする基板に対して起倒可能な袖部を支持し、本体上に固定される袖部と本体との間に空隙を形成し、袖部を立体的に配置した羽子板。
【請求項４】
構成部が袖部であり、本体と基板との間に布はくその他の柔軟素材からなる袖部の端部を固着し、固着部を起点として本体の裏側から表側へと向けられかつ基板に対して開閉自在の袖部を本体に固定した請求項２または請求項３に記載の羽子板。
【請求項５】
構成部が袖部であり、袖部の端部を固着し、固着部を起点とする基板に対して起倒可能な袖部を袖部の付け根部分に近接する支持部により支持し、張り出した袖部の袖口と本体との間に空隙を形成した請求項２、３または４に記載の羽子板。
【請求項６】
構成部が袖部であり、仕上げの施された胴部表面と仕上げの施された袖部裏面との間に空隙を形成し、胴部表面の少なくとも一部および／または袖部裏面の少なくとも一部が目視される請求項２、３または４に記載の羽子板。
【請求項７】
構成部が袖部であり、支持部に形成された傾斜部により袖部が本体上に傾斜して配置される請求項２、３または４に記載の羽子板。
【請求項８】
構成部が袖部であり、袖部の少なくとも一部を本体および／または基板に固着し、固着部を起点とする基板に対して起倒可能な一対の袖部がアーチ状に組み合わされた袖部と本体との間に空隙を形成した請求項２、３または４に記載の羽子板。
【請求項９】
構成部の少なくとも１部を本体および／または基板に固着して固着部を形成する工程と、固着部を起点とする構成部を本体および／または基板に対して起倒するとともに本体上に配置する工程と、構成部を本体に固定する工程とからなる羽子板の製造方法。
【請求項１０】
構成部の少なくとも１部の柔軟素材からなる部分を備え、固着部を起点とする構成部を柔軟素材からなる部分より本体および／または基板に対して開閉自在に起倒して本体上に配置する工程と、柔軟素材を利用して構成部と本体との位置を調整をする工程と、構成部を本体に固定する工程とからなる羽子板の製造方法。
【請求項１１】
構成部の少なくとも１部を本体および／または基板に固着して固着部を形成する工程と、高さ調整の支持部を構成部の裏面および／または本体に設ける工程と、固着部を起点とする構成部を基板に対して開閉自在に起倒する工程と、支持部を介して構成部と本体との間に空隙を形成して構成部を本体上に立体的に配置する工程と、構成部を本体に固定する工程とからなる羽子板の製造方法。
【発明の詳細な説明】
【０００１】
【発明の属する技術分野】
本発明は羽子板および羽子板の製造方法にかんする。
【０００２】
【従来の技術】
羽子板はその基板表面に人物などを現した本体が配設されるが、この場合、本体をいかにして立体的に構成するかが課題となる。従来から採用されている伝統的な押絵もこの課題に対する１つの対応策であるが、押絵による立体的な表現構成には自ら限界があった。
【０００３】
【発明が解決しようとする課題】
本発明は、立体感に富みまた本体の構成部材の配置や取り付けが容易な羽子板およびその製造方法を提供する。また構成部材の位置の調整が可能な羽子板およびその製造方法を提供する。
【０００４】
【課題を解決するための手段】
この課題を解決するため本発明にかかる羽子板は次のような手段を採用する。すなわち、構成部の少なくとも１部を本体および／または基板に固着し、固着部を起点とする基板に対して起倒可能な構成部が本体に固定されている。すなわち構成部の少なくとも１部を本体および／または基板に固着する一方、構成部の裏面および／または本体に設けられた高さ調整の支持部により固着部を起点とする基板に対して起倒可能な構成部を支持し、本体上に固定される構成部と本体との間に空隙を形成し、構成部を立体的に配置した。
【０００５】
また構成部が袖部であり、袖部の少なくとも１部を本体および／または基板に固着する一方、袖部の裏面および／または本体に設けられた高さ調整の支持部により、固着部を起点とする基板に対して起倒可能な袖部を支持し、本体上に固定される袖部と本体との間に空隙を形成し、袖部を立体的に配置した。そして構成部が袖部であり、本体と基板との間に布はくその他の柔軟素材からなる袖部の端部を固着し、固着部を起点として本体の裏側から表側へと向けられかつ基板に対して開閉自在の袖部を本体に固定した。
【０００６】
また構成部が袖部であり、袖部の端部を固着し、固着部を起点とする基板に対して起倒可能な袖部を袖部の付け根部分に近接する支持部により支持し、張り出した袖部の袖口と本体との間に空隙を形成した。そして構成部が袖部であり、仕上げの施された胴部表面と仕上げの施された袖部裏面との間に空隙を形成し、胴部表面の少なくとも一部および／または袖部裏面の少なくとも一部が目視される。また構成部が袖部であり、支持部に形成された傾斜部により袖部が本体上に傾斜して配置される。そして構成部が袖部であり、袖部の少なくとも一部を本体および／または基板に固着し、固着部を起点とする基板に対して起倒可能な一対の袖部がアーチ状に組み合わされ袖部と本体との間に空隙を形成した。
【０００７】
次に本発明にかかる羽子板の製造方法は次のような手段を採用する。すなわち、構成部の少なくとも１部を本体および／または基板に固着して固着部を形成する工程と、固着部を起点とし基板に対して構成部を起倒して本体上に配置する工程と、構成部を本体に固定する工程とからなる。
【０００８】
また構成部のうち少なくとも１部の柔軟素材からなる部分を本体および／または基板に固着して固着部を形成する工程と、固着部を起点とし柔軟素材からなる部分より構成部を基板に対して開閉自在に起倒して本体上に配置する工程と、柔軟素材の変形性を利用して構成部と本体との位置を調整をする工程と、構成部を本体に固定する工程とからなる。
【０００９】
また構成部の少なくとも１部を本体および／または基板に固着して固着部を形成する工程と、高さ調整の支持部を構成部の裏面および／または本体に設ける工程と、固着部を起点とし基板に対して構成部を開閉自在に起倒する工程と、支持部を介して構成部と本体との間に空隙を形成し、構成部を本体上に立体的に配置する工程と、構成部を本体に固定する工程とからなる。
【００１０】
【発明の実施の形態】
まず本発明にかかる羽子板１の実施の形態を図面を参照して説明する。羽子板１は基板２と本体３を備える。本体３は基板２上に配設される人物などを現している。本体３は基板２以外の全体でありあるいはその主要部でもよい。構成部７は本体３と別体に形成され、全体として本体３（つまり基板２以外のもの）の一部を構成する構成部材である。図示の場合、袖部７が構成部であるが、どの部分を構成部とするかは任意に選択できる。以下は帯を有する胴部６を含む人物像（女性）の主要部が本体３とし、また袖部７を構成部として説明する。
【００１１】
本体３、袖部７と本体３は基本的には押絵構造からなる。押絵とは人物などの形を厚紙で作って色々な布はくで包み、中に綿を入れて高低をつけた構成片を物（基板２）に貼りつけたものであるが、このような伝統的な構造のものから、その改良型など種々の構造を含む。その素材について限定はなく、また布はくのほか紙、合成樹脂製などのシートでもよく、全体が合成樹脂で構成されたものでもよい（図示せず）。なお図面において押絵構造の構成片から組み合わされた全体が概略的に本体３として示される。
【００１２】
別体として形成される構成部の袖部７はその一部が本体３あるいは基板２に固着される。すなわち袖部７は固着部５を介して本体３あるいは基板２に固定されるが、図７に示されるのは袖部７はその一部が本体３の裏面に接着剤などで固着され、図８に示されるのは袖部７はその一部が本体３と基板２との間に接着剤などで固着されている。いずれの場合も、袖部７の一部である袖部の端部が本体３と基板２との間に固着されている。また固着部５は表面側から目視されない箇所に設けるのが好ましく、また通常は１か所でよいが、複数箇所に設けてもよい。
【００１３】
袖部７は固着部５を起点として本体３の裏側から表側へと向けられている。袖部において固着部５に近接する部分９が袖部７の付け根であるのが好ましく、また固着部５に近接する部分９は布はくその他の柔軟素材からなる。この場合、固着部５に近接する部分９は袖部７の表面および／または裏面を被覆してして延びる布はくにより構成される。すなわち、図９において、固着部５に近接する部分９は構成部７の裏面を被覆した布はく１０がそのまま連続して延び、補強用の布はく１１とともに袖部の付け根９を構成する。布はく１０と補強用の布はく１１は重ね合わせて接着することができる（非接着でもよい）。なお１２は押絵構造からなる袖部７の構成片の１つである。また図１０においては、固着部５に近接する部分９は、袖部７の構成片（押絵構造）１２の表面の布はく１５をそのまま延ばしたものと袖部７の裏面を被覆した布はく１０がそのまま延びたものを一体化したものである。なお袖部の付け根部分９は適宜な柔軟性が維持されるかぎり、さらに他の強部材や芯材を加えてもよい（図示せず）。
【００１４】
袖部７の表面は（押絵構造の部分を含め）布はく１５などの被覆による仕上げ加工がされているが、構成部の裏面も布はく１０などの被覆による仕上げ加工がされている。固着部５を起点として本体３の裏側から表側へ向けられた袖部７は袖部の付け根部分９の取り付け状態が自然である。また固着部５に近接する部分９は適宜な柔軟性を有するから、製造工程において固着部５を起点とする構成部（袖部）７の基板２あるいは本体３に対する起倒が可能であり、また容易である。
【００１５】
構成部７と本体３とは両者間に空隙を設ける構成と、空隙を設けない構成があるが、構成部７と本体３との間に空隙（特に大きな空隙１６）を形成するには支持部１３を設けるのが有効である。すなわち構成部である袖部７は高さ調整の支持部１３を介して本体３上に配置され、構成部７と本体３との間に適宜な空隙１６が形成される。高さ調整の支持部１３は袖部７および／または本体３に設けることができる。図１１に示されるのは支持部を設けないものであり、図１２に示されるのは支持部１３を袖部７の裏側に固着する一方、支持部１３を含む袖部７の裏面が布はく１０などにより被覆されている。袖部の裏面は布はく１０の被覆による仕上げ加工がされる一方、美観を損なう支持部１３が外側からは目視されないから好都合である。
【００１６】
支持部１３の構造、数、配置に限定はないが、一対の袖部７，７の袖部において付け根部分９に近接して支持部１３が設けられ（図１２参照）、また一方の袖部にはほぼその中央部にさらに１個の支持部１３が設けてある（図３、６、１３参照）。支持部１３を付け根部分９に近接して配置した場合、支持部１３に支持された袖部７は先端の袖口１７が張り出したように延びたものとなり、また袖部７と本体３との間の空隙１６を大きくすることもできる。また袖部の先端である袖口１７と本体２との間にも空隙１６が確実に形成される。
【００１７】
また支持部１３に傾斜部１９を設けることにより、本体３上において袖部７が所定の傾斜状態で正確に配設される（図１４、１５参照）。袖部の袖口１７をより高く持ち上げることも可能であり、立体感に富む袖部が構成される。傾斜部１９は湾曲面（図１４参照）、平面（図１２、１３参照）、段差面（図１５参照）のいずれでもよく、また傾斜角度などは任意に設定できる。
【００１８】
構成部７と本体３の配置は両者間に空隙１６を設けると、本体３を斜視するような場合、本体３の一部、例えば、胴部６と袖部７との間の空隙１６において布はくで被覆された胴部６表面の一部あるいは相当部分が目視される。また同様に、布はく１０で被覆された袖部７の裏面の少なくとも一部が目視される。このように空隙１６の存在により胴部６表面や袖部７裏面など特定の部位が目視されることがあるが、その部位は布はくで被覆するなど仕上げがされているから、美観をそこなうことがないだけでなく見栄えがする。
【００１９】
本体３上に配置された構成部（袖部）７は、本体３あるいは他の構成部などに接着剤などで固定される。構成部（袖部）７は、固着部５を起点する一方、支持部１３により安定した状態で支持され、本体３などとの部分的な接着などにより本体３に固定される。
【００２０】
袖部７は基板２あるいは本体３に対して起倒可能であるから、製造工程において一対の袖部７、７を組み合わせみ、袖部先端の袖口１７を互いに接近させることができる。また２つの袖口１７、１７間の接近度や間隔を容易に設定し、調整することもできる。袖部の組み合わせ方法は種々可能であり、例えば、一対の袖部７、７をそれぞれ支持部１３で支持し、アーチ状の組み合わされた袖部７、７と本体３との間の空隙１６を形成することができる（図１２参照）。
【００２１】
次に本発明にかかる羽子板の製造方法は次のような手段を採用する。なお以下において前記羽子板の構造における同じ部材にかんする説明は省略する。まず、構成部７の少なくとも１部を本体３および／または基板２に固着して固着部５を形成する工程である。この工程において、袖部の基端２０（図１４、１５参照）を本体３および／または基板２に固着し、固着部５を形成する（図７、８参照）。構成部７である袖部の基端２０に近接する部分９、あるいは固着部５に近接する部分９は布はくなどの柔軟素材で形成するのが好ましい。
【００２２】
次は固着部５を起点とする構成部７を本体３および／または基板２に対して起倒するとともに本体３上に配置する工程である。この工程において袖部など構成部７を基板２に対して起倒することにより構成部７が本体２上に配置される。すなわち、袖部など構成部７は固着部５を起点とする開閉状の移動が可能であり（図７、８の矢標方向参照）、一対の構成部７、７は両側に開いた状態（図７参照）から互いに組み合わせされて本体３上で閉じた状態（図１１、１２、１３参照）にすることができる。図３、６に示されるのは、本体３に固着された構成部（袖部）７が両側に開いた状態を表し、また図２、５に示されるのは、構成部（袖部）７が本体３上で閉じた状態を表す。但しいずれの場合も本体３は基板に固定されていない。このような開いた状態から閉じた状態への移行は通常一度で完了するが、袖部など構成部７が所定位置に正しく配置されない場合はいったん閉じた構成部７を再び開いた状態に戻した上でやり直すこともできる。これは一対の袖部の組み合わ状態を調整する上で有効である。
【００２３】
構成部７は少なくとも１部の柔軟素材からなる部分９を備えることができる。そして固着部５を起点とする構成部７を柔軟素材からなる部分９より本体３および／または基板２に対して開閉自在に起倒して本体３上に配置する。固着部５を起点とするから構成部７は所定位置へと配置されるが、本体３上の所定位置に正しく配置されない場合などは、前記のように、必要に応じて構成部７の開閉をやり直すこともできる。さらに柔軟素材の変形性を利用して構成部と本体との位置調整をする工程をとることもできる。たとえば、構成部７を本体３上に配置したとき、本体３表面の湾曲面や凹凸面により構成部７に若干の位置ずれが生じたような場合、構成部７を本体３表面に沿って所望方向、すなわち左右方向（図２、５における矢標Ｂ方向）や上下方向（図２、５における矢標Ａ方向）あるいはその組み合わせにより所望方向に若干移動させてその位置の調整をする。柔軟素材で形成されているから構成部７の起倒がスムーズとなるだけでなくこのような所望方向への位置調整が容易である。
【００２４】
袖部７は固着部５を起点として本体３に対して起倒されるが、袖部７の一部を本体３と基板２との間に固着し、本体３と基板２が一体化されている場合（図８参照）には固着部を起点とする袖部７は本体３と基板２に対して起倒される。このように本体３と基板２を一体化する工程をおこない、その後に固着部５を起点とする袖部７を本体３と基板２に対して起倒する方が袖部７の本体３上への配置が容易でありまた配置における全体のバランスがとりやすい。
【００２５】
次は高さ調整の支持部１３を構成部７の裏面および／または本体３に設ける工程である。この工程において支持部１３を構成部７あるいは本体３、通常は、構成部７の裏面に設ける。支持部１３は厚紙などで形成される本体３（押絵構造の構成片１２）に接着剤などで固着することができる。支持部１３の高さにより構成部７と本体３との間の高さや空隙１６の大きさが決定される。また支持部１３には傾斜部１９が形成され、傾斜部１９により構成部７の傾斜状態が設定される。なお構成部７の裏面に固着された支持部１３に対しては構成部７の裏面全体を布はく１１などで被覆する仕上げをすることのが好ましい（構成部７の裏面の仕上げ工程）。
【００２６】
次に支持部１３を介して構成部７と本体３との間に空隙１６を形成して構成部７を本体３上に立体的に配置する工程である。この工程において、本体３上に配置された構成部７は支持部１３を介して本体３との間に空隙１６が形成され、本体３上に立体的に配置される。
【００２７】
次は構成部７を本体３に固定する工程である。この工程において、本体３上に配置された構成部７が他の構成部あるいは本体３に接着剤などで固着される。なお以上の諸工程の順序は適宜に選択される。
【００２８】
【効果】
本発明にかかる羽子板およびその製造方法によれば、立体感に富む羽子板が構成され、また構成部材の配置や取り付けが容易である。また製作工程において構成部材の位置の調整も可能となる。
【図面の簡単な説明】
【図１】人物像を備える羽子板を示す正面図である。
【図２】図１の羽子板に取着される人物像の主要部である本体を示す正面図である。
【図３】図２の本体とその両側に開いた袖部を示す正面図である。
【図４】他の人物像を備える羽子板を示す正面図である。
【図５】図４の羽子板に取着される人物像の主要部である本体を示す正面図である。
【図６】図５の本体と両側に開いた袖部を示す正面図である。
【図７】本体の両側に開いた袖部を示す説明図である。
【図８】基板上の本体の両側に開いた袖部を示す説明図である。
【図９】袖部の一部を示す一部を省略した拡大断面図である。
【図１０】他の袖部の一部を示す一部を省略した拡大断面図である。
【図１１】本体と本体上に配置された袖部を示す説明図である。
【図１２】本体と２個の支持部を介して本体上に配置された袖部を示す説明図である。
【図１３】本体と３個の支持部を介して本体上に配置された袖部を示す説明図である。
【図１４】傾斜部を有する支持部を設けた袖部を示す拡大説明図である。
【図１５】他の傾斜部を有する支持部を設けた袖部を示す拡大説明図である。
【符号の説明】
１　　羽子板
２　　基板
３　　本体
５　　固着部
６　　胴部
７　　構成部
９　袖部の基端に近接する部分
１３　支持部
１６　空隙
１９　傾斜部
２０　袖部の基端
【図１】
2004049848.tif 000003
【図２】
2004049848.tif 000004
【図３】
2004049848.tif 000005
【図４】
2004049848.tif 000006
【図５】
2004049848.tif 000007
【図６】
2004049848.tif 000008
【図７】
2004049848.tif 000009
【図８】
2004049848.tif 000010
【図９】
2004049848.tif 000011
【図１０】
2004049848.tif 000012
【図１１】
2004049848.tif 000013
【図１２】
2004049848.tif 000014
【図１３】
2004049848.tif 000015
【図１４】
2004049848.tif 000016
【図１５】
2004049848.tif 000017